(57)【要約】【課題】  住宅と屋外配管７との間、及び屋外配管７相互の間で不等沈下が発生することを極めて簡単に抑制することができる屋外配管の不等沈下防止構造１を提供する。【解決手段】  屋外配管の不当沈下防止構造１は、支持地盤２に載置され住宅基礎３の最下端の鉄筋４を支持する鉄筋ベース５と、一端側が該鉄筋ベース５に連結されて当該鉄筋ベース５とともに前記住宅基礎３に埋没され、他端側が前記住宅外側方向に前記住宅基礎３から突出して設けられる支持ステー６と、該支持ステー６の他端側に連結固定され、前記住宅外周に埋設される配管７を支持する配管支持部材８と、を備える。【選択図】図２
2010031891.tif 000002
【特許請求の範囲】
【請求項１】
支持地盤に載置されるベース板と該ベース板から上方に延びて住宅基礎の最下端の鉄筋を支持するベース金具とからなる鉄筋ベースと、
一端側に該鉄筋ベースに連結されて当該鉄筋ベースと共に前記住宅基礎に埋没される固定部を有し、他端側に前記住宅外側方向に前記住宅基礎から突出して設けられる突出部を有する支持ステーと、
該支持ステーの他端側に連結固定され、前記住宅外周に埋設される配管を支持する配管支持部材と、を備えることを特徴とする屋外配管の不等沈下防止構造。
【請求項２】
前記配管支持部材は、一端側が前記支持ステーに連結固定されるとともに、他端側が前記配管の下方に延出する延出部材と、
該延出部材の上方において前記配管を保持する保持部材と、を具備することを特徴とする請求項１に記載の屋外配管の不等沈下防止構造。
【請求項３】
前記配管支持部材は、一端側が前記支持ステーに連結固定されるとともに、他端側が前記配管の上方に延出する延出部材と、
該延出部材の下方において前記配管を保持する保持部材と、を具備することを特徴とする請求項１に記載の屋外配管の不等沈下防止構造。
【請求項４】
前記保持部材は前記延出部材からの高さを調節自在であることを特徴とする請求項２又は請求項３に記載の屋外配管の不等沈下防止構造。
【請求項５】
前記支持ステーから上方に延出して設けられると共に、前記住宅基礎内部において水平方向に配置された前記鉄筋に引掛けられる鉤部をその上端に具備するアンカーを更に備えることを特徴とする請求項１から請求項４のいずれかに記載の屋外配管の不等沈下防止構造。
【請求項６】
前記固定部の上面に一端が固定されるとともに、前記ベース板の上面に他端が固定されることで、前記鉄筋ベースと前記支持ステーとを連結する連結部材を更に備えることを特徴とする請求項１から請求項５のいずれかに記載の屋外配管の不等沈下防止構造。
【請求項７】
前記固定部は、前記ベース板上に載置されて前記ベース金具を差込み可能なスリットを有し、前記ベース板上で前記住宅基礎に埋設されることを特徴とする請求項１から請求項４のいずれかに記載の屋外配管の不等沈下防止構造。
【発明の詳細な説明】
【技術分野】
【０００１】
この発明は、住宅内部から連通して住宅外周に埋設される配管の不等沈下防止構造に関する。
【背景技術】
【０００２】
従来より、住宅を建設する際に住宅の沈下を防止するために、杭基礎、布基礎、べた基礎などの基礎が設けられる。特に宅地が軟弱な地盤や造成地盤である場合には、鋼管杭や柱状改良が施され、住宅の荷重を地中の強固な支持層で支える。このようにすることで、住宅が地中に沈下することを防止することができる。
【０００３】
ところで、上述のような住宅においては、住宅そのものは殆ど沈下することがないが、住宅周辺の地面は強固に支持されているわけではないので沈下することがある。したがって、沈下量の差から住宅とその周辺の地面との間に不等沈下が生じ、住宅外周に埋設されている配管に加重が掛かり、配管や継ぎ手が破損して漏水する虞があった。
【０００４】
そこで、例えば、住宅から排水枡へ延ばす配管に、上下の変位を許容するフレキシブル継ぎ手を介在させる配管の破損防止構造が知られている。このような破損防止構造は、住宅部分に埋設された配管と屋外部分に埋設された配管との沈下差をフレキシブル継ぎ手によって吸収する。
【０００５】
また、例えば図１９に示すように、地中の強固な支持層１００にまで打込まれる支持パイプ１０１と、この支持パイプ１０１の上端に取付けられ住宅の外周に埋設される配管１０２を受止するサドル１０３とからなる配管支持具１０４が提案されている（例えば特許文献１）。このような配管支持具１０４により配管１０２を支持することで、住宅と配管１０２とがともに強固な支持層１００に支持されることとなるので、住宅と配管１０２との間で不等沈下が生じることもなく、配管１０２や継ぎ手が破損して漏水することを抑制することができる。
【特許文献１】実開平５−６６３８８号公報
【発明の開示】
【発明が解決しようとする課題】
【０００６】
しかし、住宅から出てくる配管と外部の配管の間にフレキシブル継ぎ手を介在させる方法では、確かに住宅と屋外配管との沈下差を吸収するものの、排水枡同士の不等沈下により、配管勾配が変化したり、排水枡間を連結する排水管の破損を引き起こすことがある。
【０００７】
また、上述のような配管支持具１０４を用いた場合には、強固な支持層１００にまで支持パイプ１０１を貫入する必要があり、作業に手間が掛かるとともに支持層１００がかなり深い場合には、その深さに応じて長い支持パイプ１０１を用意となり、設置コストが高くなりやすい。
【０００８】
そこで本発明は、住宅と屋外配管との間、及び屋外配管相互の間で不等沈下が発生することを極めて簡単に抑制することができる屋外配管の不等沈下防止構造を提供することを目的とする。
【課題を解決するための手段】
【０００９】
上記目的を達成するために、請求項１記載の屋外配管の不等沈下防止構造は、支持地盤に載置されるベース板と該ベース板から上方に延びて住宅基礎の最下端の鉄筋を支持するベース金具とからなる鉄筋ベースと、一端側に該鉄筋ベースに連結されて当該鉄筋ベースと共に前記住宅基礎に埋没される固定部を有し、他端側に前記住宅外側方向に前記住宅基礎から突出して設けられる突出部を有する支持ステーと、該支持ステーの他端側に連結固定され、前記住宅外周に埋設される配管を支持する配管支持部材と、を備えることを特徴としている。
【００１０】
請求項２記載の屋外配管の不等沈下防止構造は、前記配管支持部材は、一端側が前記支持ステーに連結固定されるとともに、他端側が前記配管の下方に延出する延出部材と、該延出部材の上方において前記配管を保持する保持部材と、を具備することを特徴としている。
【００１１】
請求項３記載の屋外配管の不等沈下防止構造は、前記配管支持部材は、一端側が前記支持ステーに連結固定されるとともに、他端側が前記配管の上方に延出する延出部材と、該延出部材の下方において前記配管を保持する保持部材と、を具備することを特徴としている。
【００１２】
請求項４に記載の屋外配管の不等沈下防止構造は、前記保持部材は前記延出部材からの高さを調節自在であることを特徴としている。
【００１３】
請求項５に記載の屋外配管の不等沈下防止構造は、前記支持ステーから上方に延出して設けられると共に、前記住宅基礎内部において水平方向に配置された前記鉄筋に引掛けられる鉤部をその上端に具備するアンカーを更に備えることを特徴としている。
【００１４】
請求項６に記載の屋外配管の不等沈下防止構造は、前記固定部の上面に一端が固定されるとともに、前記ベース板の上面に他端が固定されることで、前記鉄筋ベースと前記支持ステーとを連結する連結部材を更に備えることを特徴としている。
【００１５】
請求項７に記載の屋外配管の不等沈下防止構造は、前記固定部は、前記ベース板上に載置されて前記ベース金具を差込み可能なスリットを有し、前記ベース板上で前記住宅基礎に埋設されることを特徴としている。
【発明の効果】
【００１６】
請求項１に記載の屋外配管の不等沈下防止構造によると、住宅基礎の鉄筋の最下端に設置される鉄筋ベースに支持ステーが連結され、この支持ステーに固定される配管支持部材が住宅外周に埋設される配管を支持するので、住宅外周に埋設される配管は、支持ステー及び配管支持部材を介して、住宅基礎の鉄筋ベースに支持されることとなる。従って、このような不等沈下防止構造を用いると住宅が沈下しない限り配管も沈下しないので、住宅と屋外配管との間、及び屋外配管相互の間で不等沈下が発生することを極めて簡単に抑制することができる。また、たとえ住宅が沈下するような場合であっても、配管は住宅に支持されているので、住宅の沈下に応じて配管も沈下することになり住宅と屋外配管との間に沈下差ができて不等沈下となることを防ぐことができる。
【００１７】
また、支持ステーは、一端側に鉄筋ベースのベース板に連結されて当該鉄筋ベースとともに前記住宅基礎に埋没される固定部を有し、他端側に該住宅基礎から住宅外側方向に突出する突出部を有するので、コンクリートを打設する前の住宅基礎の鉄筋ベースに支持ステーを連結させて、その後にコンクリートを打設すると、住宅基礎のフーチングから住宅外側方向に支持ステーが突出することになるので、この支持ステーが突出した部分に連結される配管支持部材を、埋設する配管の高さ位置に合わせて適切なものを選択することで、配管の勾配を適切に調整することができる。
【００１８】
請求項２に記載の屋外配管の不等沈下防止構造によると、支持部材が延出部材と保持部材とから形成されているので、例えば埋設する配管の設置位置に合わせて適切な延出部材を選択し、また例えば埋設する配管の太さに合わせて適切な保持部材を選択することができる。
【００１９】
請求項３に記載の屋外配管の不等沈下防止構造によると、支持部材が延出部材と保持部材とから形成されているので、請求項２と同様の効果を奏することができるとともに、埋設する配管の設置位置が延出部材よりも下方に位置するような場合でも、適切に配管を保持することができる。特に、延出部材が配管よりも上方に位置することで、配管施工のために地面を掘り下げる場合に、延出部材を設置するために余計に地面を掘り下げる必要が無いので、施工コストを抑制することができる。
【００２０】
請求項４に記載の屋外配管の不等沈下防止構造によると、保持部材が延出部材から高さ調節可能であるので、配管の高さ位置を自在に調節することができ、埋設する配管の勾配を極めて簡単に調節することができる。
【００２１】
請求項５に記載の屋外配管の不等沈下防止構造によると、支持ステーから上方に延出して設けられるとともに、住宅基礎における水平方向に配置された鉄筋に引掛けられる鉤部をその上端に具備するアンカーを更に備えるので、住宅基礎に強固に強固に固定することができる。
【００２２】
請求項６に記載の屋外配管の不等沈下防止構造によると、連結部材により鉄筋ベースと支持ステーとが固定される。連結部材はベース板及び固定部の上面に固定されるので、この連結ベースは住宅の基礎の内部に埋設され、支持ステーが極めて強固に固定される。特に請求項４と組み合わせた場合には、支持ステーは、アンカーにより住宅基礎に固定されつつ、連結部材により鉄筋ベースに固定されるので、２箇所で固定されることとなり、支持ステーの一端側が他端側よりも沈下することを効果的に抑制することができる。
【００２３】
請求項７に記載の屋外配管の不等沈下防止構造によると、支持ステーは、その一端側に形成され前記ベース板上に載置される際に前記ベース金具を差込み可能なスリットを有するので、鉄筋ベースのベース金具を挟み込むようにしてベース板に載置される。この状態で、鉄筋ベースの上からコンクリートを打設するので、支持ステーは、住宅の基礎に簡単に且つ強固に固定される。従って、屋外配管を確実に住宅の基礎で支持することができる。
【発明を実施するための最良の形態】
【００２４】
以下、本発明における屋外配管の不等沈下防止構造１の最良の実施形態について、各図を参照しつつ説明する。住宅内部から流れ出る生活排水は、図１に示すように、住宅屋外の敷地に埋設される配管７を通って、図示しない公設桝に流れ出て下水道に流れ込む。この屋外に埋設される配管７には、所定間隔で配管７のメンテナンスを行う排水桝９が設置されており、住宅から流れ出た排水はこの排水桝９で一旦受け止められる。配管７は、公設桝方向にやや下り勾配が設けられており、この勾配により排水を下方の公設桝に流下させる。このような配管７を支持する屋外配管の不等沈下防止構造１は、埋設された配管７に沿って例えば１メートル以下の間隔で複数設置されており、住宅基礎３から住宅の屋外方向に向かって突出して配管７を支持するものである。
【００２５】
この屋外配管の不等沈下防止構造１は、図２及び図３に示すように、支持地盤２に載置され住宅基礎３の最下端の鉄筋４を支持する鉄筋ベース５と、一端側が鉄筋ベース５に連結されて当該鉄筋ベース５と共に前記住宅基礎３に埋没され、他端側が住宅外側方向に住宅基礎３から突出して設けられる支持ステー６と、この支持ステー６の他端側に連結固定され、前記住宅外周に埋設される配管７をその上側に支持する配管支持部材８と、を備えるものである。
【００２６】
鉄筋ベース５は、図２及び図３に示すように、支持地盤２に載置される板状のベース板５１と、このベース板５１から上方に延びるように棒状の部材を折り返して形成されるベース金具５２とから構成されている。そして、この鉄筋ベース５は、住宅基礎３を打設する位置に予め配置され、住宅基礎３の鉄筋４を支持するとともに、住宅基礎３を形成する際に使用される図示しないコンクリート型枠を載置するためにも使用される。なお、本実施形態の鉄筋ベース５は一例であり、この構成に限定されず、種々の周知の鉄筋ベース５を適宜目的に応じて選択して使用することができる。
【００２７】
支持ステー６は一端側が鉄筋ベース５のベース板に固定されて住宅基礎３に埋設される固定部６ａを形成し、他端が住宅基礎３から住宅の外側方向に突出する突出部６ｂを形成している。以下、２つの実施形態の支持ステー６について、それぞれ説明する。
【００２８】
第１の実施形態に係る支持ステー６は、図３に示すように、長尺に形成された矩形状の鋼製部材である。この支持ステー６は、排水が流れる配管７の荷重に耐えることができる強度を有するステンレス等の耐腐食性の金属により形成されており、住宅基礎３に埋設されたときに腐食せずに十分な強度を保つことができる。そして、この支持ステー６の固定部６ａには、アンカー１０が上方に延出するように例えばボルト及びナット、若しくは溶接等の周知の方法で固定されている。このアンカー１０の上端には鉤状に形成され、住宅基礎３内部に水平方向に配置された鉄筋４に引掛けられる鉤部１０ａが設けられている。したがって、支持ステー６は、一端が住宅基礎３に埋没して固定されるのみならず、アンカー１０を介しても住宅基礎３に強固に連結されることとなる。
【００２９】
また、支持ステー６の固定部６ａには、鉄筋ベース５との連結に用いられる連結部材１１が例えば溶接等により固定されている。この連結部材１１は、一端側が支持ステー６に固定される矩形の鋼板であって、他端側がこの支持ステー６から鉄筋ベース５の方向にほぼ水平に突出して形成されている。そして、連結部材１１の他端側をネジ等の周知の方法で鉄筋ベース５のベース板５１と固定することにより、支持ステー６と鉄筋ベース５とが連結される。このように、支持ステー６は、アンカー１０により固定されるとともに、連結部材１１によっても固定されるので、支持ステーの固定部６ａ側と突出部６ｂ側とが水平に保持される。したがって、支持ステー６に固定されている配管支持部材８が上下に動くことも確実に抑制することができ、配管支持部材８によって支持固定される配管７の水平レベルを一定に保つことができる。
【００３０】
また、支持ステー６の突出部６ｂには、その長さ方向に複数の孔６１が形成されている。この孔６１にボルトを通してナットで固定することにより支持ステー６に配管支持部材８を取付けることができる。このように、支持ステー６の長さ方向に複数の孔６１を設けることで、配管支持部材８の支持ステー６への取付け位置を調節することができ、住宅基礎３から配管７までの距離に応じて適宜調節することができる。
【００３１】
第２の実施形態に係る支持ステー６は、図４（ａ）及び（ｂ）に示すように、鉄筋ベース５と連結される当該支持ステー６の固定部６ａの幅方向の略中央から、その長手方向の略中央に至るまでスリット１２が形成されている。これにより、支持ステー６の固定部６ａを、ベース板５１の上に形成されたベース金具５２がスリット１２に差込まれるようにして鉄筋ベース５のベース板５１の上に載置することができる。そして、支持ステー６の固定部６ａから突出部６ｂにかけて略中央部には、ベース板５１の厚みと同程分だけ鉛直方向に下がるように段部１３が形成されている。
【００３２】
図４（ｂ）に示すように、スリット１２にベース金具５２を差込むようにして支持ステー６の固定部６ａをベース板５１に載置したときには、段部１３を設けたことにより、支持ステー６の突出部６ｂの下面が支持地盤２に載置され、安定した状態で鉄筋ベース５に支持ステー６を連結固定することができる。この場合には、前述の図３に示すように、連結部材１１を使用する必要がなく、支持ステー６の固定部６ａの上から打設されるコンクリートの圧力により強固に固定される。なお、第２の実施形態においては、支持ステー６と鉄筋ベース５とを打設される基礎コンクリートの圧力のみによって固定する構成としているが、支持ステー６と鉄筋ベース５とを例えばボルトを締結する等の固定手段により更に強固に結合するものであってもよい。
【００３３】
配管支持部材８は、図２に示すように、支持ステー６の突出部６ｂに固定され、配管７をその上方に支持するための部材である。この配管支持部材８は、一端側が前記支持ステー６の突出部６ｂに連結固定され、他端側が前記配管７の下方に延出する延出部材１４と、該延出部材１４の上方において前記配管７を保持する保持部材１５と、から形成される。
【００３４】
延出部材１４は、図２に示すように、支持ステー６と略同じ幅を有し略矩形に形成される板状の部材である。この支持ステー６の突出部６ｂには、図７に示すように、延出部材１４と連結するために使用される孔６１が支持ステー６の長手方向に沿って複数形成されており、前述したように、住宅基礎３から適当な距離をあけて配管７を支持することができる。そして、配管７は、延出部材１４の上側に載置されるようにして支持されるとともに、その上側から逆Ｕ字型に形成された保持部材１５を嵌めることで固定される。保持部材１５は、図１０に示すように、鋼製の棒状部材を逆Ｕ字型に折曲した形状であり、その下端部が延出部材１４の他端側に例えばナットにより固定されており、配管７の直径と略同寸法だけ離間した２本の脚部１５１と、これら脚部１５１同士をその上端で連結する湾曲部１５２とから形成されている。図８（Ｂ）に示すように、延出部材１４の保持部材１５の脚部１５１との固定する箇所には、一方に一個の共通孔１４１が設けられており、他方に複数のアジャスト孔１４２が設けられている。したがって、延出部材１４には、複数種類の大きさの保持部材１５を固定することができ、支持すべき配管７の径に応じて適切な大きさの保持部材１５を用いることができる。
【００３５】
なお、この実施形態においては延出部材１４は、その上側に配管７を載置するようにして支持しているが、延出部材１４の下側で配管７を支持するものであってもよい。この場合は、図１１に示すように、延出部材１４の下側に配管７を配置して、その下側からＵ字型の保持部材１５を嵌めることで配管７を固定することができる。このようにすると、ベース板５１の水平レベルよりもやや低い水平レベルに配管７を配置する場合に好適である。
【００３６】
また、この延出部材１４の形状は上記の板状のものに限られるものではなく、支持すべき配管の勾配に応じて、形状の異なる延出部材１４を用いることができる。例えば上述の板状の延出部材１４は、鉄筋ベース５のベース板５１とほぼ等しい水平レベルに延出するが、更に下流においては、配管７の勾配によりベース板５１よりも相当低い位置に配管７が埋設される。このような場合には、図１２に示すように、支持ステー６と連結固定された一端側から延出部材１４が下方に略直角に折曲されて略鉛直方向に所定深さに至るまで延伸され、そこから再び水平方向に折曲されその水平部分に支持部１６が形成されたクランク状の延出部材１４を使用することができる。そして、このクランク状の延出部材１４を用いた場合も、板状の延出部材１４を用いた場合と同様に、支持部１６の上側に配管７が載置され、その上方から逆Ｕ字型の保持部材１５を嵌めることにより配管７を固定する。なお、このようなクランク状の延出部材１４においては、その強度を保つために、折曲部分に補強用のリブ１８が形成されている。なお、この場合においても、図１３に示すように、延出部材１４の下側で配管７を支持するものであってもよい。すなわち、延出部材１４の下側に配管７を配置して、その下側からＵ字型の保持部材１５を嵌めることで配管７を固定するものであってもよい。
【００３７】
このように、形状の異なる数種類の延出部材１４を用いることにより、また、配管７及び保持部材１５を延出部材の上側に設置するか下側に設置するかを選択することにより、配管７の水平レベルを調整することができ、配管７に適切な勾配をつけて固定することができるが、配管７の勾配を更に調整する場合には、図１４に示すように、長尺に形成された保持部材１５の２本の脚部１５１の中間位置に、支持プレート１７を設けて、保持部材１５の湾曲部１５２と支持プレート１７の上側面で配管７を挟持するように当該配管７を支持固定することができる。保持部材１５の脚部１５１は、支持部１６を貫通するように設けられており、ナットの位置を調節することによりその長さを調節することができる構成であり、この脚部１５１の長さを調節することにより、埋設される配管の水平レベルを微調整することができる。
【００３８】
例えば、延出部材１４の支持部１６において当該支持部１６と保持部材１５の脚部１５１とを連結固定するナットを緩めて下方に押し下げ、所望の位置で再びナットを締めて固定することにより、配管７の水平レベルを低くすることができる。保持部材１５の脚部１５１にはその外周面全体に例えばネジ溝が形成されていることが好ましく、このように構成すると、配管７を支持固定する位置を無段階で調節することができる。なお、このように保持部材１５の脚部１５１の長さを調節することにより埋設される配管７の水平レベルを微調整する構成を採用する場合でも、図１５に示すように、延出部材１４の下側に配管７及び保持部材１５を設置するものであってもよい。このようにすると更に深い位置に配管を設置することができる。図１５においてはクランク状の延出部材１４を用いているが、この場合においても延出部材１４が水平方向に延びる板状のものであってもよい。
【００３９】
また、配管支持部材８に支持される配管７の本数は、１本に限定されるものではなく複数本であってもよい。例えば、図１６に示すように、延出部材１４の支持部１６の上方において支持プレート１７と保持部材１５の湾曲部１５２とによって１本の配管７を支持固定し、別の配管７を支持部１６と支持プレート１７とで挟持するように支持固定してもよい。この場合、保持部材１５の脚部１５１を長く調節し、複数枚の支持プレート１７を用いることで、複数の配管７を高さ方向に並列に設置することができる。また、図１７示すように、延出部材１４の支持部１６をやや長く形成し、水平方向に複数の配管７を並べて、それぞれの配管７の上方から保持部材１５を嵌めるようにして固定するものであってもよい。
【００４０】
次に、上述のように構成される屋外配管の不等沈下防止構造１を用いて配管７を設置する作業について以下に説明する。
【００４１】
住宅基礎３を施工するために、地盤下の土を掘削して根切りを行い、ローラー等の周知の方法で転圧した後、図５に示すように、所定間隔で鉄筋ベース５を支持地盤２上に載置するとともに、住宅基礎３の鉄筋４を配置する。この際には、鉄筋４を確実に支持することができるように、鉄筋ベース５同士の間隔が、例えば１．５ｍ以内となるように鉄筋ベース５を配置する必要があるが、配管７を確実に支持するために、例えば、設置される鉄筋ベース５の数を追加して、例えば１ｍ以内の間隔となるように鉄筋ベース５を配置する。
【００４２】
そして、第１の実施形態に係る支持ステー６を用いる場合には、図３に示すように、転圧された支持地盤２上であって、鉄筋ベース５の横側に支持ステー６の固定部６ａを配置する。このとき、固定部６ａにナット等でその下端を取付けられたアンカー１０の上方の鉤部１０ａを住宅基礎３内の水平方向に配置された鉄筋４に引掛け、支持ステー６に予め溶接された連結部材１１と鉄筋ベース５のベース板５１とを例えばボルト及びナットにより連結する。このようにすることで、支持ステー６と、住宅基礎３の鉄筋４及び鉄筋ベース５とは、強固に固定される。
【００４３】
一方、第２の実施形態に係る支持ステー６を使用する場合には、図４及び図１８に示すように、支持ステー６の固定部６ａに形成されたスリット１２に鉄筋ベース５のべース金具５２を差し込んだ状態で、支持ステー６の固定部６ａを鉄筋ベース５のベース板５１に載置しつつ、支持ステー６の突出部６ｂを支持地盤２上に載置する。
【００４４】
そして、支持ステー６を配置した後、図示しない鋼製のコンクリート型枠を設置して、型枠内にコンクリートを打設し、養生した後、当該コンクリート型枠を取外す。
このようにすると、図６及び図７に示すように、支持ステー６の固定部６ａが住宅基礎３に埋没しつつ、突出部６ｂが住宅基礎３の外側方向に突出する。すなわち、第１の実施形態に係る支持ステー６を使用した場合には、アンカー１０や支持ステー６の固定部６ａは住宅基礎３に埋没され、突出部６ｂが住宅基礎３から住宅外側方向に露出して突出し、当該住宅基礎３と支持ステー６とが完全に一体化される。また、第２の実施形態に係る支持ステー６を使用した場合には、同様に当該支持ステー６の固定部６ａが住宅基礎３に埋没され、突出部６ｂが該住宅基礎３から住宅外側方向に露出して突出し、当該住宅基礎３と支持ステー６とが完全に一体化される。
【００４５】
次に、住宅基礎３から露出して突出した支持ステー６の突出部６ｂに配管７を支持するための配管支持部材８を固定する。具体的には、図８（Ａ）に示すように、延出部材１４を突出部６ｂにボルト１４ａ及びナット１４ｂにより固定する。そして、図９に示すように、延出部材１４の支持部１６の上面に配管７を載置して上方から保持部材１５を取付けて当該配管７を固定する。なお、配管７をより深い位置に設置する場合には、図１０に示すように、クランク状の延出部材１４を支持ステー６に固定するとともに、延出部材１４の支持部１６の上面に配管７を載置して上方から保持部材１５を取付けて当該配管７を固定する。そして、図１０に示すように、配管上に土を埋め戻して、配管作業を完了させる。
【００４６】
本実施形態の屋外配管の不等沈下防止構造１は、一例でありこれに使用される部材の形状や寸法等は必要に応じて適宜変更することができる。また、本実施形態の屋外配管の不等沈下防止構造１には、その他の周知の構成を加えてもよいのは勿論である。このような屋外配管の不等沈下防止構造１を使用することにより、住宅と屋外配管７との間、及び屋外配管７の相互の間で不等沈下が発生することを極めて簡単に抑制することができる。また、配管７の配管作業を極めて容易にするとともに、配管支持部材８が劣化したような場合にも容易に交換することができる。
【産業上の利用可能性】
【００４７】
本発明の屋外配管の不等沈下防止構造１は、屋外配管７を強固に支持し不等沈下を抑制する構造として好適に用いることができる。
【図面の簡単な説明】
【００４８】
【図１】本実施形態の屋外配管の不等沈下防止構造を用いた住宅の屋外配管の配置を説明する斜視図。
【図２】屋外配管の不等沈下防止構造の全体構成を説明する一部拡大斜視図。
【図３】第１の実施形態に係る支持ステーの構成を説明する斜視図。
【図４】第２の実施形態に係る支持ステーの構成を説明する斜視図。
【図５】支持地盤に鉄筋ベースを載置した状態を説明する図。
【図６】鉄筋ベースのベース板に支持ステーを固定して、住宅基礎のコンクリートを打設した状態を説明する斜視図。
【図７】住宅基礎のコンクリートを打設した状態を説明する断面図。
【図８】支持ステーに延出部材を取付ける状態を説明する断面図。
【図９】保持部材を用いて配管を固定する状態を説明する断面図。
【図１０】屋外配管の不等沈下防止構造を完成させた状態を示す断面図。
【図１１】延出部材の下側に配管及び保持部材を配置する実施形態の屋外配管の不等沈下防止構造を説明する図。
【図１２】他の形状の延出部材を用いて屋外配管の不等沈下防止構造を完成させた状態を示す断面図。
【図１３】図１２の形状の延出部材を用いる場合において、延出部材の下側に配管及び保持部材を配置する実施形態の屋外配管の不等沈下防止構造を説明する図。
【図１４】保持部材が延出部材の上側で上下に調節可能であることを説明する断面図。
【図１５】保持部材が延出部材の下側で上下に調節可能であることを説明する断面図。
【図１６】複数の配管を上下方向に並列的に配置した屋外配管の不等沈下防止構造を説明する図。
【図１７】複数の配管を水平方向に並列的に配置した屋外配管の不等沈下防止構造を説明する図。
【図１８】第２の実施形態の支持ステーを用いて屋外配管の不等沈下防止構造を完成させた状態を示す断面図。
【図１９】従来の配管支持具を用いて配管を支持する状態を説明する図。
【符号の説明】
【００４９】
１        不等沈下防止構造
２        支持地盤
３        住宅基礎
４        鉄筋
５        鉄筋ベース
６        支持ステー
６ａ      固定部（支持ステーの一端側）
６ｂ      突出部（支持ステーの他端側）
７        配管
８        配管支持部材
９        保持部材
１０        アンカー
１０ａ      鉤部
１１        連結部材
１２        スリット
５１        ベース板
５２        ベース金具
【図１】
2010031891.tif 000003
【図２】
2010031891.tif 000004
【図３】
2010031891.tif 000005
【図４】
2010031891.tif 000006
【図５】
2010031891.tif 000007
【図６】
2010031891.tif 000008
【図７】
2010031891.tif 000009
【図８】
2010031891.tif 000010
【図９】
2010031891.tif 000011
【図１０】
2010031891.tif 000012
【図１１】
2010031891.tif 000013
【図１２】
2010031891.tif 000014
【図１３】
2010031891.tif 000015
【図１４】
2010031891.tif 000016
【図１５】
2010031891.tif 000017
【図１６】
2010031891.tif 000018
【図１７】
2010031891.tif 000019
【図１８】
2010031891.tif 000020
【図１９】
2010031891.tif 000021